(57)【特許請求の範囲】
【請求項１】
ネジ挿通孔(8) を設けた固定板部(9)とバイメタル(7) を取り付けたネジ孔(11a) 付きの調整板部(11)とを一体に対向させる連結枠部(12)を、該固定板部(9) の一側に立設した脚板部(14)と該脚板部(14)の上部に連設した断面コ字型のヨーク金具(15)と該ヨーク金具(15)の背面板部(15a) の下方前方に打抜孔(16a) を設けたクランク板部(16)とよりなるものとしたバイメタル調整部材(6)に、前記ヨーク金具(15)に臨む磁性板(5a)を取り付けたトリガープレート(5) をバイメタル調整部材(6) に軸支し、該バイメタル調整部材(6) をその固定板部(9) を配電用遮断器のケース(1) の壁面(1a)に固定するとともにケース(1) の外部に頭部(13a) を臨ませた調整ネジ(13)を進退動不能として固定板部(9) のネジ挿通孔(8) に挿通したうえ調整板部(11)のネジ孔(11a) に螺合したことを特徴とする配線用遮断器。
【発明の詳細な説明】
【０００１】
【発明の属する技術分野】
本発明は、バイメタルを利用した過電流引き外し機構を備えた配線用遮断器に関するものである。
【０００２】
【従来の技術】
従来のバイメタルを利用した過電流引き外し機構を備えた配線用遮断器は、図７に示すように電線接続用端子金具５２の先端に形成した逆Ｕ字状部５３の上端に設けた切り起こし部５４にバイメタル５１を溶接し、逆Ｕ字状部５３の外板部５３ａに設けたネジ孔５５にケース５６の外面から調整ネジ５７を螺合させて、該調整ネジ５７を締めつけてその先端により逆Ｕ字状部５３の内板部５３ｂを押圧して逆Ｕ字状部５３を橈せてバイメタル５１の位置を調整してバイメタルの過電流引き外し特性を調整するものであった。
【０００３】
【発明が解決しようとする課題】
ところが、この従来のものは調整ネジ５７を締めつけてその先端により逆Ｕ字状部５３の内板部５３ｂを押圧して逆Ｕ字状部５３を橈せるものであるため、調整ネジ５７による押圧を小さくする方向に再調整する場合には逆Ｕ字状部５３の材料のもつ復元力を利用するため、最大でも調整ネジ５７の先端が離れる直前までの再調整しかできず、また、逆Ｕ字状部５３の母材が塑性変形して初期の復元力を喪失していた場合に再調整ができず、過電流引き外し特性の信頼性向上を阻害するものであった。
【０００４】
また、バイメタル５１を流れる大電流により発生する磁力を利用してトリガープレート５８を釈放側に瞬時に引き寄せるヨーク金具５９及び前記トリガープレート５８をバイメタル５１と各別にそれぞれケース５６内にセットするものであるため、これらをケース５６内に適正な間隙をもってセットするのであるが、各部品の誤差や熱膨張と熱収縮により、同じように過電流引き外し特性の信頼性向上を阻害するものであり、また、各部品の保持用凹凸部に高い寸法精度を要求され、組立作業も煩わしかった。
【０００５】
【課題を解決するための手段】
上記の課題を解決するためになされた本発明は、ネジ挿通孔を設けた固定板部とバイメタルを取り付けたネジ孔付きの調整板部とを一体に対向させる連結枠部を、該固定板部の一側に立設した脚板部と該脚板部の上部に連設した断面コ字型のヨーク金具と該ヨーク金具の背面板部の下方前方に打抜孔を設けたクランク板部とよりなるものとしたバイメタル調整部材に、前記ヨーク金具に臨む磁性板を取り付けたトリガープレートをバイメタル調整部材に軸支し、該バイメタル調整部材をその固定板部を配電用遮断器のケースの壁面に固定するとともにケースの外部に頭部を臨ませた調整ネジを進退動不能として固定板部のネジ挿通孔に挿通したうえ調整板部のネジ孔に螺合したものである。
【０００６】
【発明の実施の形態】
本発明の好ましい実施の形態を図１〜図６に基づいて詳細に説明する。
図１において１は配線用遮断器のケース、２はケ−ス１の上部に枢支されて左右に揺動されてオン、オフ及びトリップ状態をとるハンドル、３はハンドルに連動して固定接触子３ａと開閉する可動接触子、４はトリガープレート５に支持されてハンドル２を安定位置でオン、オフさせるクレドルであり、該クレドル４はトリガープレ−ト５が異常電流により作動させられ該クレドル４の支持を解除して可動接触子３を強制的に解離させるとともにハンドル２をトリップ状態にするものである。
【０００７】
６は過電流による発熱により彎曲し前記トリガープレート５をクレドル４の釈放側に作動させるバイメタル７を取り付けたバイメタル調整部材であり、該バイメタル調整部材６はネジの操作により撓みバイメタルの過電流引き外し特性を調整するものである。このバイメタル調整部材６はネジ挿通孔８を設けた固定板部９とバイメタル７を取り付けたネジ孔１１ａ付きの調整板部１１とを連結枠部１２により一体にして対向させてなるものである。１０は調整板部１１に設けたバイメタル取付板部であり、このバイメタル取付板部１０にバイメタル７を溶接して取り付けている。そして、バイメタル調整部材６は調整ネジ１３を固定板部９のネジ挿通孔８に挿通したうえ調整板部１１のネジ孔１１ａに螺合させたうえで、固定板部９を配電用遮断器のケース１の壁面１ａに固定するとともに前記調整ネジ１３を回動はできるが進退動不能として頭部１３ａをケース１の外部に臨ませている。
【０００８】
前記した連結枠部１２は、固定板部９の一側より立設した脚板部１４と該脚板部１４の上部に連設した断面コ字型のヨーク金具１５と該ヨーク金具１５のヨーク背面板部１５ａの下方前方に四角状の打抜孔１６ａを透設したクランク板部１６を張設してなるもので、該クランク板部１６の下端に調整板部１１のバイメタル取付板部１０を連設して前方に調整板部１１を前記固定板部９と対向するように張設させたものである。そして、バイメタル７を打抜孔１６ａを貫通させてその基端をバイメタル取付板部１０の裏面に溶接して取り付け断面コ字型のヨーク金具１５内を貫通させたものである。
【０００９】
また、前記バイメタル調整部材６すなわち脚板部１４の上部前方に設けた軸受片部１７には前記ヨーク金具１５に臨む磁性板５ａを取り付けたトリガープレート５が軸支されている。また、このトリガープレート５の上端にはバイメタル７が過電流で彎曲した際に引きつけられる鉤部５ｂが磁性板５ａの上端側面に折曲して設けられている。１８はトリガープレート５が通常時に所要位置に待機させるためのバネであり、磁性板５ａの下端に折曲形成した係止部とケース１内に形成した突起との間に介在させて設けられている。１９はトリガープレート５に設けたクレドル４係止用の段部である。
【００１０】
なお、バイメタル調整部材６は、フランジ１３ｂ付きの調整ネジ１３を固定板部９のネジ挿通孔８に挿通したうえ調整板部１１のネジ孔１１ａに螺合させたうえ該固定板部９を配電用遮断器のケース１の壁面１ａである底面の外面に設けた調整ネジ１３の軸部挿通孔付きの係合段部１ｂにケース１の合わせ面から調整ネジ１３とともに嵌合し、また、調整ネジ１３はフランジ１３ｂの外面を係合段部１ｂの基端に形成した内鍔部１ｃに当接させて頭部１３ａをケース１の外面に臨ませて回動はできるが進退動不能とされている。また、調整ネジ１３を回動はできるが進退動不能とする手段としては、頭部１３ａの周縁を内鍔部１ｃに透設させて頭部１３ａの中央に形成したすり割り等の工具係合部がケース１の外面に臨むものとしてもよい。
【００１１】
このように構成されたものは、バイメタル７の位置を調整してバイメタルの過電流引き外し特性を調整するには、バイメタル７を取り付けたバイメタル調整部材６が、ネジ挿通孔８を設けた固定板部９とバイメタル取付板部１０を設けたネジ孔１１ａ付きの調整板部１１とを連結枠部１２により一体にして対向させたものであって、固定板部９を配電用遮断器のケース１の壁面１ａに固定したうえケース１の外部に頭部１３ａを臨ませた調整ネジ１３を回動はできるが進退動不能として固定板部９のネジ挿通孔８に挿通したうえ調整板部１１のネジ孔１１ａに螺合したものであるので、調整ネジ１３を締めれば図４に示すように該調整ネジ１３は螺合しながら前進する代わりに調整板部１１を固定板部９側に引き寄せて、これとともに該調整板部１１に連設したバイメタル取付板部１０が前方に向け撓むので、バイメタル７はバイメタル取付板部１０を起点に前方に移動して、トリガープレート５の鉤部５ｂとの距離を離す方向に調整してバイメタルの過電流引き外し特性を調整するものである。
【００１２】
これとは逆に、調整ネジ１３を緩めれば該調整ネジ１３はネジ孔１１ａに螺合しながら後退する代わりに調整板部１１を固定板部９側から引き離し、これとともに該調整板部１１に連設したバイメタル取付板部１０が後方に向け撓むので、バイメタル７はバイメタル取付板部１０を起点に後方に移動して、トリガープレート５の鉤部５ｂとの距離を近づける方向に調整してバイメタルの過電流引き外し特性を調整するものである。
【００１３】
このようにバイメタルの過電流引き外し特性の調整は、回動はできるが進退動不能とした調整ネジ１３を締めつけ、緩めることにより調整ネジ１３のネジ孔１１ａの螺合位置を変更して調整板部１１を固定板部９側に引き寄せ、引き離してバイメタル取付板部１０の撓み量及び方向を強制的に調整するので、従来のような片側方向の変位に比べ両方向の変位により調整量を大きくとることができるので、バイメタル７とバイメタル調整部材６との溶接の固定誤差によるばらつきが大きくても調整できるものである。また、調整板部１１の母材が塑性変形して初期の復元力を喪失した場合にあっても再調整ができるものであり、過電流引き外し特性の信頼性向上を阻害しないものである。
【００１４】
また、バイメタル調整部材６の連結枠部１２を、固定板部９の一側より立設した脚板部１４と該脚板部１４の上部に連設した断面コ字型のヨーク金具１５と該ヨーク金具１５のヨーク背面板部１５ａの下方前方に四角状の打抜孔１６ａを透設したクランク板部１６を張設してなるものとして、バイメタル調整部材６にヨーク金具１５を一体に設けるたものとすることにより、ヨーク金具１５とバイメタル７との適切な位置関係が自動的に設定できるうえ、ケース１が熱膨張や熱収縮があっても過電流引き外し特性の信頼性向上を阻害しないものであり、また、前記したとおり固定板部９をケース１の壁面１ａに固定することによりヨーク金具１５もケース１内の所定箇所に自動的にセットされるので、ヨーク金具１５のケース１内への組み込みが容易なうえ該ヨーク金具１５保持用の凹凸部をケース１内に設ける必要がないのでケース１のを安価に製造できるものである。
【００１５】
また、バイメタル調整部材６すなわち脚板部１４の上部前方に設けた軸受片部１７に前記ヨーク金具１５に臨む磁性板５ａを取り付けたトリガープレート５を軸支しておくことにより、ヨーク金具１５と磁性板５ａとの間隙を適切なものに調整することが容易となるものである。また、トリガープレート５がバイメタル調整部材６すなわち軸受片部１７に軸支されているので各部品の誤差やケース１が熱膨張や熱収縮があってもトリガープレート５の軸部がずれてクレドル４の係止位置が狂うことがないものである。
【００１６】
さらに、バイメタル調整部材６の調整板部１１に設けたバイメタル取付板部１０をヨーク背面板部１５ａの下方前方に張設した四角状の打抜孔１６ａを透設したクランク板部１６に張設したものとすることにより、調整ネジ１３によりバイメタル取付板部１０を撓ます際に打抜孔１６ａにより可撓性があるクランク板部１６までが撓みヨーク金具１５は歪むことがないので、ヨーク金具１５と磁性板５ａとの間隙に影響を与えることがないものである。
【００１７】
また、前記したようにバイメタル取付板部１０をヨーク背面板部１５ｂの下方前方に張設した四角状の打抜孔１６ａを透設したクランク板部１６の下端に連設させてあるので、バイメタル７を打抜孔１６ａを貫通させてその基端をバイメタル取付板部１０の裏面に溶接して取り付けることにより、クランク板部１６の下端に形成された凹段部により線を納めてバイメタル７に直接より線を取り付けできるので、より線がバイメタル調整部材を介してバイメタルに接続されているのに比べて電気的特性がよくコンパクトに配線できるものである。
【００１８】
【発明の効果】
本発明は前記説明によって明らかなように、バイメタルを取り付けたネジ孔付きの調整板部を進退動不能とした調整ネジの回動によりネジ孔の螺合位置を変更させて進退させてバイメタルの過電流引き外し特性の調整するものにあっては、調整量を大きくとることができるので、バイメタルとバイメタル調整部材との溶接の固定誤差によるばらつきが大きくても調整できるものであり、調整板部の母材が塑性変形して初期の復元力を喪失していた場合にあっても再調整ができるものである。また、バイメタル調整部材にヨーク金具を一体に設けたものでは、ヨーク金具とバイメタルとの適切な位置関係が自動的に設定できるものである。
従って、本発明は従来の配線用遮断器の問題を解決したものとして、業界に寄与するところ大なものである。
【図面の簡単な説明】
【図１】本発明の実施の形態を示す一部切欠側面図である。
【図２】本発明の実施の形態の要部を示す斜視図である。
【図３】本発明の実施の形態の要部を示す側面図である。
【図４】本発明の実施の形態の要部を態様を異にして示す側面図である。
【図５】本発明の実施の形態の要部を示す斜視図である。
【図６】本発明の実施の形態の要部を示す側面図である。
【図７】従来例の要部を示す一部切欠側面図である。
【符号の説明】
１  配線用遮断器のケース
1a  壁面
５  トリガープレート
5a  磁性板
６  バイメタル調整部材
７  バイメタル
８  ネジ挿通孔
９  固定板部
10  バイメタル取付板部
11  調整板部
11a ネジ孔
12  連結枠部
13  調整ネジ
13a 頭部
14  脚板部
15  ヨーク金具
15a 背面板部
16  クランク板部
16a 打抜孔
【図１】
0003835978.tif 000002
【図２】
0003835978.tif 000003
【図３】
0003835978.tif 000004
【図４】
0003835978.tif 000005
【図５】
0003835978.tif 000006
【図６】
0003835978.tif 000007
【図７】
0003835978.tif 000008